(57)【特許請求の範囲】
【請求項１】
電子機器に情報を入力する操作を受付けるための操作受付部と、
前記電子機器を制御し、所定機能を実行するための制御部と、を備え、
前記操作受付部は、
２次元に配列された複数のキーを有したキー部と、
前記キー部に重ねて設けられたタッチパッドと、を含み、
前記２次元の配列は、
各々が複数のキーを有する複数の行と、各々が複数のキーを有する複数の列とを有し、
前記タッチパッドは、
各前記行に対応するセンサ群であって、当該行の各キーに対応のタッチセンサを有する行センサ群と、
各前記列に対応するセンサ群であって、当該列の各キーに対応のタッチセンサを有する列センサ群と、を有し、
前記タッチセンサは、対応の前記キーが操作されたか否かを検出し、
前記制御部は、
各前記行センサ群および各前記列センサ群の前記タッチセンサからの出力に基づき、前記操作受付部により受付けられた前記操作は、前記複数の行および前記複数の列のうちのいずれかにおけるスライド操作であると判断したとき、
判断された前記スライド操作の内容に基づき、動作中の前記所定機能を制御する制御パラメータを決定する、電子機器。
【請求項２】
前記制御部は、さらに、
各前記行センサ群および各前記列センサ群の前記タッチセンサの出力に基づき、前記操作受付部により受付けられた前記操作は、前記複数の行および前記複数の列のうちのいずれかにおけるキーのタッチ操作であると判断したとき、
判断された前記タッチ操作の内容に基づき、前記制御パラメータの種類を決定する、請求項１に記載の電子機器。
【請求項３】
前記制御部は、
判断された前記スライド操作の内容に基づき、前記複数の行および前記複数の列のうちのいずれがスライド操作されたかを判断し、
前記制御パラメータとして、スライド操作が判断された前記行または前記列に対応した種類の制御パラメータを決定する、請求項１または２に記載の電子機器。
【請求項４】
前記制御部は、
前記制御パラメータとして、前記行または前記列における前記スライド操作の操作量に基づき、当該制御パラメータの値を決定する、請求項１から３のいずれか１項に記載の電子機器。
【請求項５】
前記制御パラメータの値は、数値を含み、
前記制御部は、
前記操作量に基づき前記数値が増減されるように前記制御パラメータの値を決定する、請求項４に記載の電子機器。
【請求項６】
前記タッチパッドは、前記キー部の表面側または裏面側に配置される、請求項１から５のいずれか１項に記載の電子機器。
【請求項７】
電子機器に情報を入力する操作を受付けるための操作受付部と、
前記電子機器を制御し、所定機能を実行するための制御部と、を備える電子機器におけるパラメータ入力方法であって、
前記操作受付部は、
２次元に配列された複数のキーを有したキー部と、
前記キー部に重ねて設けられたタッチパッドと、を含み、
前記２次元の配列は、
各々が複数のキーを有する複数の行と、各々が複数のキーを有する複数の列とを有し、
前記タッチパッドは、
各前記行に対応するセンサ群であって、当該行の各キーに対応のタッチセンサを有する行センサ群と、
各前記列に対応するセンサ群であって、当該列の各キーに対応のタッチセンサを有する列センサ群と、を有し、
前記タッチセンサは、対応の前記キーが操作されたか否かを検出し、
前記パラメータ入力方法は、
各前記行センサ群および各前記列センサ群の前記タッチセンサからの出力に基づき、前記操作受付部により受付けられた前記操作は、前記複数の行および前記複数の列のうちのいずれかにおけるスライド操作であるかを判断するステップと、
判断された前記スライド操作の内容に基づき、動作中の前記所定機能を制御する制御パラメータを決定するステップと、を備える、電子機器におけるパラメータ入力方法。
【発明の詳細な説明】
【技術分野】
【０００１】
本発明は、ユーザ操作を受付けるための操作受付部を備える電子機器に関し、特に、操作受付部にタッチパッドを有する電子機器に関する。
【背景技術】
【０００２】
電子機器では、ユーザが文字等の情報を入力するための入力部が設けられるが、携帯型端末などでは、入力部が設けられるスペースは狭く、ユーザは狭いスペースにおいて情報の入力操作をしなければならない。
【０００３】
ユーザが簡単に情報の入力操作ができるように、例えば、特許文献１（特開２００５−１３５１０１号公報）の携帯端末装置が提案される。特許文献１の携帯端末装置は、ユーザが操作可能な専用のスライダーを有した入力装置を備える。
【先行技術文献】
【特許文献】
【０００４】
【特許文献１】特開２００５−１３５１０１号公報
【発明の概要】
【発明が解決しようとする課題】
【０００５】
特許文献１では、携帯端末装置に、情報を入力するための専用のスライダー部品が追加されている。したがって、携帯端末装置において、スライダー部品を設けるための特別なスペースを確保する必要があり、携帯端末装置の携帯性が損なわれる。
【０００６】
また、このスライダー部品は、文字入力に特化されている。特許文献１は、スライダー部品について汎用的な利用方法を提案していない。
【０００７】
それゆえに、本開示のある局面における目的は、情報の入力操作を受付けるための操作受付部の専有面積を大きくすることなく、簡単な情報の入力操作を可能にする電子機器を提供することである。
【課題を解決するための手段】
【０００８】
一実施の形態に従う電子機器は、当該電子機器に情報を入力する操作を受付けるための操作受付部と、当該電子機器を制御するための制御部と、を備える。
【０００９】
操作受付部は、２次元に配列された複数のキーを有したキー部と、キー部に重ねて設けられたタッチパッドと、を含む。
【００１０】
上記の２次元の配列は、各々が複数のキーを有する複数の行と、各々が複数のキーを有する複数の列とを有する。上記のタッチパッドは、２次元配列の各行に対応するセンサ群であって、当該行の各キーに対応のタッチセンサを有する行センサ群と、各列に対応するセンサ群であって、当該列の各キーに対応のタッチセンサを有する列センサ群と、を有する。タッチセンサは、対応のキーが操作されたか否かを検出する。
【００１１】
制御部は、各行センサ群および各列センサ群のタッチセンサからの出力に基づき、操作受付部により受付けられた操作は、複数の行および複数の列のうちのいずかにおけるスライド操作であると判断したとき、判断された当該スライド操作の内容に基づき、電子機器を制御するための制御パラメータを決定する。
【発明の効果】
【００１２】
上記の電子機器の操作受付部はキー部と、キー部に重ねて設けられたタッチパッドとから構成される。この構成は、情報の入力操作を受付けるための操作受付部の専有面積を大きくすることなく、タッチパッドを利用した情報の入力操作を可能にする。
【図面の簡単な説明】
【００１３】
【図１】本実施の形態１に係る携帯型電話機１の外観を表した斜視図である。
【図２】携帯型電話機１のハードウェア構成を説明するための図である。
【図３】本実施の形態１に係る制御パラメータ情報１２２を説明するための図である。
【図４】本実施の形態１に係るカメラモードで表示される画像とともに携帯型電話機１の外観を示す図である。
【図５】本実施の形態１に係る処理を説明するためのフローチャートである。
【図６】本実施の形態２に係る音楽プレーヤモードで表示される画像とともに携帯型電話機１の外観を示す図である。
【図７】本実施の形態２に係る処理を説明するためのフローチャートである。
【図８】本実施の形態３に係るアラーム設定モードで表示される画像とともに携帯型電話機１の外観を示す図である。
【発明を実施するための形態】
【００１４】
以下、図面を参照しつつ、電子機器の一例として携帯型電話機を例に挙げて説明する。以下の説明では、図面中の同一の部材には同一の参照符号を付してある。それらの名称および機能も同じである。したがって、以下の説明では、それらについての詳細な説明は繰り返さない。
【００１５】
＜技術思想＞
本実施の形態に係る技術思想は、以下のとおりである。
【００１６】
電子機器は、ユーザの操作を受付ける操作受付部に、物理的に分離された複数のキーが２次元に配列（格子状に配列）されたキー部と、キー部に重ねて配置されたタッチパッドを有する。タッチパッドは、キー部の各キー列，各キー行に対応したタッチセンサ群を有する。制御部は、各行および各列に対応したタッチセンサ群の各キーに対応したタッチセンサからの出力に基づき、いずれの列または行においてユーザがスライド操作したかを判断する。制御部は、判断されたスライド操作の内容に基づき、電子機器を制御するための制御パラメータを決定する。
【００１７】
［実施の形態１］
（携帯型電話機１の外観）
図１は、本実施の形態１に係る携帯型電話機１の外観を表した斜視図である。図１を参照して、携帯型電話機１は、上部筐体１０１、下部筐体１０２およびヒンジ部１０３を備える。上部筐体１０１と下部筐体１０２とは、ヒンジ部１０３により折り畳み可能なように接続されている。上部筐体１０１と下部筐体１０２は、それぞれ、略直方体の形状を有する。上部筐体１０１は、液晶等からなる表示部１６０を備える。下部筐体１０２は、ユーザによる携帯型電話機１に対する情報の入力操作を受付けるための操作受付部１３０を備える。携帯型電話機１は、折り畳み型であるが、折り畳むことができないフラットタイプであってもよい。本実施の形態の携帯型電話機１は、「電子機器」の一実施列である。
【００１８】
本実施の形態では、携帯型電話機１は、折り畳み型であるが、折り畳むことができないフラットタイプであってもよい。また、電子機器は、携帯型電話機１に限定されず、例えば、タブレット端末、パーソナルコンピュータ、デジタルカメラ、オーディオプレイヤ、スマートフォン、ウェアラブル端末等であってもよい。
【００１９】
実施の形態１では、上部筐体１０１と下部筐体１０２それぞれの長手方向に沿って延びる仮想の軸をＹ軸と称する。上部筐体１０１と下部筐体１０２それぞれの短手方向に沿って延びる仮想の軸であって、Ｙ軸と直交する軸をＸ軸と称する。Ｘ軸とＹ軸との交差点を点Ｏと称する。
【００２０】
また、Ｙ軸が延びる方向であって、上部筐体１０１が位置する側の方向を“上方向”と称し、Ｙ軸が延びる方向であって、“上方向”とは反対側の方向を“下方向”と称する。また、Ｘ軸が延びる方向であって、点Ｏ（図１参照）が位置する側の方向を“左方向”と称し、“左方向”とは反対側の方向を“右方向”と称する。
【００２１】
また、下部筐体１０２の面であって、上部筐体１０１と下部筐体１０２とが折り畳まれた状態において、表示部１６０の表示面と対向する面を主面と称する。
【００２２】
（操作受付部１３０の構成）
操作受付部１３０は、下部筐体１０２の主面において、複数のキーからなるテンキー３００、十字キー等の他の操作キー３０Ａおよびタッチパッド３５０（図２参照）を備える。操作キー３０Ａには、周知のハードウェアキーが適用されるので、その詳細な説明は繰返さない。ここでは、テンキー３００を主体に説明する。
【００２３】
テンキー３００の各キーは、物理的に分離されている。ユーザは、各キーを個別に操作可能である。当該各キーは、樹脂等からなり、例えば、半球形のドーム形状を有する。当該各キーの表面側（露出面側）には、数値（「０」、「１」、「２」、「３」、「４」…、「９」），文字，記号等が印字されている。
【００２４】
テンキー３００では、複数のキーが主面において２次元に配列される。２次元配列において複数のキーは、Ｘ軸と平行な複数の行１，行２，行３，行４と、Ｙ軸と平行な複数の列１，列２，列３を構成する。また、テンキー３００では、隣接するキーの間において各キーのドームの側面（斜面）により形成された窪みを有する。２次元配列の各列の間および各行の間には、これら窪みが連なった溝３０２が形成される。テンキー３００では２次元配列における各キーの位置は（Ｘ，Ｙ）座標で示される。この（Ｘ，Ｙ）座標を、以下、キー位置と称する。
【００２５】
操作受付部１３０において、タッチパッド３５０は、下部筐体１０２に内蔵された基板（図示せず）の上に実装されている。タッチパッド３５０は複数のタッチセンサの電極が配されたパターンを有する。テンキー３００の各キーは、タッチパッド３５０の各タッチセンサ上に実装されている。タッチパッド３５０の各タッチセンサとテンキー３００の各キーとは、１対１で対応する。指が接近して生じた電極間の静電容量の変化を検出する方式である。
【００２６】
タッチパッド３５０の複数のタッチセンサは、上記の各列について、当該列の複数のキーに対応したタッチセンサからなる群を構成する。また、上記の各行について、当該行の各キーに対応したタッチセンサからなる群を構成する。
【００２７】
図１では、列１のタッチセンサの群をタッチセンサ群８１、列２のタッチセンサの群をタッチセンサ群８２、および列３のタッチセンサの群をタッチセンサ群８３と、それぞれ称する。また、行１のタッチセンサの群をタッチセンサ群９１、行２のタッチセンサの群をタッチセンサ群９２、行３のタッチセンサの群をタッチセンサ群９３、および行４のタッチセンサの群をタッチセンサ群９４と、それぞれ称する。複数のタッチセンサ群は、テンキー３００のキー配列に整合するように、格子状に配置される。
【００２８】
テンキー３００の各キーが、指により操作されると、当該キーの表面側とは反対の裏面側に設けられたタッチセンサは、指の接近により生じた電極間の静電容量の変化を検出する。なお、キーの操作は、指に限定されず、スタイラスを用いてもよい。
【００２９】
操作受付部１３０は、各タッチセンサから検出信号を入力したとき、当該検出信号に基づき、操作されたキーのキー位置を判断する。また、操作受付部１３０は、当該検出信号により示される静電容量の変化の大きさに基づき、キー操作の種類を判断する。ここでは、説明を簡単にするために、キー操作の種類は、押下操作およびタッチ操作のいずれかであるとする。操作受付部１３０は、判断されたキー操作の種類を示す操作種類データ１３１と、判断されたキー位置を示すキー位置データ１３２とを、静電キードライバ１４０（図２参照）に出力する。
【００３０】
本実施の形態では、タッチパッド３５０は、テンキー３００に重ねて設けられている。典型的には、図１に示すように、タッチパッド３５０はテンキー３００の裏面側に設置される。なお、タッチパッド３５０はテンキー３００の表面側に設置されてもよい。以下では、テンキー３００を構成する複数のキーに対する操作に着目して説明する。
【００３１】
（携帯型電話機１のハードウェア構成）
図２は、携帯型電話機１のハードウェア構成を説明するための図である。図２を参照して、携帯型電話機１は、携帯型電話機１の各部を制御するＣＰＵ（Central Processing Unit）１１０、メモリ１２０、操作受付部１３０、静電キードライバ１４０、表示ドライバ１５０、表示部１６０およびタイマ部１７０を備える。携帯型電話機１は、さらに、被写体を撮影するためのカメラ１８０、カメラ１８０を制御するためのカメラ制御部１９０、音声を出力するためのスピーカ２００、およびスピーカ２００を制御するための音声出力制御部２１０を備える。ＣＰＵ１１０等は、携帯型電話機１の「制御部」の一実施列である。
【００３２】
カメラ制御部１９０は、カメラ１８０により撮像された画像データを処理する画像処理部１９１を含む。カメラ制御部１９０は、制御パラメータに基づき画像処理部１９１を制御する。画像処理部１９１は、制御パラメータの値に基づき画像データを処理する。処理後の画像データは、メモリ１２０に格納される。また、当該画像データに基づく画像が、表示部１６０に表示される。
【００３３】
音声出力制御部２１０は、メモリ１２０に格納された音声（楽曲等）データについて再生処理を実施する音声再生部２１１を含む。音声出力制御部２１０は、制御パラメータに基づき音声再生部２１１を制御する。音声出力制御部２１０は、音声再生部２１１により再生された音声信号に基づきスピーカ２００を駆動する。
【００３４】
タイマ部１７０は、目覚まし等のアラームを設定するアラーム設定部１７１を含む。タイマ部１７０は、制御パラメータに基づきアラーム設定部１７１を制御する。これにより、タイマ部１７０は、アラーム設定部１７１により設定された時間において、スピーカ２００等を介してアラームを出力する。
【００３５】
操作受付部１３０は、上述したように、複数のキーからなるテンキー３００と、タッチパッド３５０とを含む。メモリ１２０は、プログラムおよびデータを不揮発的に格納するＲＯＭ（Read Only Memory）、プログラムおよびデータを揮発的に格納するＲＡＭ（Random Access Memory）、プログラムおよびデータを不揮発的に格納するＨＤＤ(Hard Disc Drive)等を含む。メモリ１２０は、携帯型電話機１の現在の動作モードを示すモードデータ１２１、および制御パラメータ情報１２２（図３参照）を記憶する。制御パラメータ情報１２２の詳細については後述する。
【００３６】
携帯型電話機１は、複数の動作モードを有する。本実施の形態では、複数の動作モードには、例えば、カメラ１８０により撮影するためのカメラモード、音楽データの音声をスピーカ２００から出力するための音楽プレーヤモード、およびアラームを出力するためのアラーム設定モードが含まれる。上述のモードデータ１２１は、携帯型電話機１に設定されている現在の動作モードを示す。ユーザは、操作受付部１３０を操作することにより、携帯型電話機１の動作モードを切替えることができる。
【００３７】
静電キードライバ１４０は、操作受付部１３０のためのドライバ回路である。静電キードライバ１４０は、操作受付部１３０のタッチパッド３５０の動作を制御するとともに、操作受付部１３０から操作種類データ１３１とキー位置データ１３２を受け付ける。静電キードライバ１４０は、操作種類データ１３１と、当該操作種類データ１３１とともに受け付けられたキー位置データ１３２とからなる組を、ＣＰＵ１１０に出力する。
【００３８】
ＣＰＵ１１０は、静電キードライバ１４０から操作種類データ１３１とキー位置データ１３２の組を受け付けると、当該組に基づきメモリ１２０の制御パラメータ情報１２２からパラメータデータ１２６（後述する）を読出す。
【００３９】
また、ＣＰＵ１１０は、操作受付部１３０のユーザの操作内容に基づき、携帯型電話機１の動作モードを切替える。ＣＰＵ１１０は、切替え後の動作モードを示すように、メモリ１２０のモードデータ１２１を書換える。
【００４０】
（制御パラメータ情報１２２）
図３は、本実施の形態１に係る制御パラメータ情報１２２を説明するための図である。図３を参照して、制御パラメータ情報１２２は、携帯型電話機１の各動作モードに対応したテーブル１２３を含む。
【００４１】
各テーブル１２３は、対応する動作モードを識別するための識別子１２４、複数の位置データ１２５、および各位置データ１２５に対応して制御パラメータの種類を表すパラメータデータ１２６を含む。
【００４２】
例えば、図３を参照して、カメラモードに対応したテーブル１２３は、位置データ１２５として、列１の各キーのキー位置を示すデータＰ１、列２の各キーのキー位置を示すデータＰ２、および列３の各キーのキー位置を示すデータＰ３を含む。また、パラメータデータ１２６は、データＰ１〜Ｐ３のそれぞれに対応した制御パラメータの種類を含む。図３では、データＰ１に対応の制御パラメータの種類は“ズーム”、データＰ２に対応の制御パラメータの種類は“露出”、およびデータＰ３に対応の制御パラメータの種類は“ＩＳＯ感度”である。
【００４３】
（カメラモードにおける処理）
図４は、本実施の形態１に係るカメラモードで表示される画像とともに携帯型電話機１の外観を示す図である。図４では、説明のために、テンキー３００には列１，列２，列３のそれぞれに対応したタッチセンサ群８１，８２，８３のみが示されて、各行についてのタッチセンサ群９１〜９４の図示は略されている。
【００４４】
携帯型電話機１の動作モードが、カメラモードに切替えられたとき、カメラ１８０は撮影を開始する。また、ＣＰＵ１１０は、モードデータ１２１を“カメラモード”を示すように書換える。
【００４５】
カメラ制御部１９０の画像処理部１９１は、カメラ１８０からの画像データを、ＣＰＵ１１０から与えられる制御パラメータ（ズームの倍率、露出度、ＩＳＯ感度）に基づき処理する。処理後の画像データに基づく画像は表示部１６０に表示される（図４参照）。また、カメラ制御部１９０は、ＣＰＵ１１０からの制御パラメータの値を、表示部１６０に画像とともに表示する（図４参照）。
【００４６】
カメラモードにおいて、ユーザは、操作受付部１３０を操作することにより、上記の制御パラメータを変更することができる。実施の形態１では、当該制御パラメータの種類を変更するための操作は、テンキー３００の列１，列２，列３のいずれかの列のキーをタッチする操作である。また、制御パラメータの値を変更するための操作は、いわゆるスライド操作である。スライド操作は、列１，列２，列３のいずれかの列において隣接する一連のキーを、キーに指をタッチしたまま（指をキーから離すことなく）、“上方向”または“下方向”（図４の太い破線矢印を参照）になぞるような操作を示す。
【００４７】
ＣＰＵ１１０は、操作内容に基づき制御パラメータの値を変更する。カメラ制御部１９０は、変更後の制御パラメータに基づき、画像処理部１９１を制御する。画像処理部１９１は、制御パラメータの値に基づき、カメラ１８０により撮像された画像のデータを処理する。
【００４８】
図５は、本実施の形態１に係る処理を説明するためのフローチャートである。図４を参照しながら、図５のフローチャートに従い、カメラモードの具体的な処理を説明する。ＣＰＵ１１０は、モードデータ１２１に基づき、制御パラメータ情報１２２の複数のテーブル１２３のうち、識別子１２４が“カメラモード”を示すテーブル１２３を検索の対象に設定する。
【００４９】
まず、ＣＰＵ１１０は、静電キードライバ１４０からの入力（操作種類データ１３１，キー位置データ１３２の組）に基づき、テンキー３００のタッチ操作を検出すると（ステップＳ１でＹＥＳ）、ユーザによる操作の対象なった制御パラメータ（以下、操作対象パラメータと称する）の種類を選択する（ステップＳ３）。
【００５０】
例えば、ユーザは、列１の「４」のキー（数値“４”が印字されたキー）をタッチ操作したとする。ステップＳ３では、ＣＰＵ１１０は、静電キードライバ１４０からの入力（操作種類データ１３１，キー位置データ１３２の組）に基づき、操作内容は“タッチ操作”であると判断する。
【００５１】
ＣＰＵ１１０は、静電キードライバ１４０からのキー位置データ１３２に基づき、図３のカメラモードのテーブル１２３を検索する。ＣＰＵ１１０は、検索結果に基づき、テーブル１２３から、キー位置データ１３２（「４」のキー位置）が該当するデータＰ１に対応のパラメータデータ１２６（「ズーム」）を読出す。これにより、ＣＰＵ１１０は、操作対象パラメータの種類は、「ズーム」であると判断する。ＣＰＵ１１０は、判断された制御パラメータの種類（「ズーム」）をメモリ１２０に格納する。
【００５２】
その後、ＣＰＵ１１０は、静電キードライバ１４０からの入力に基づき、「４」のキーが、タッチ操作に続いて押下操作されたかを判断する（ステップＳ４）。ＣＰＵ１１０は、「４」のキーが押下されたと判断すると（ステップＳ４でＹＥＳ）、すなわちユーザの操作は、制御パラメータ設定のための操作ではないと判断すると、処理はステップＳ５に移行する。ステップＳ５では、ＣＰＵ１１０は、ステップＳ１で検出されたタッチキーに関する情報、すなわちステップＳ３でメモリ１２０に格納された制御パラメータの種類を、メモリ１２０から削除する。ＣＰＵ１１０は、「４」のキーの押下に従った他の処理を実施する（ステップＳ７）。その後、処理はステップＳ１に戻る。
【００５３】
一方、ＣＰＵ１１０は、静電キードライバ１４０からの入力に基づき、「４」のキーが押下されないと判断した場合は（ステップＳ４でＮＯ）、ＣＰＵ１１０は列１におけるスライド操作の方向を判断する（ステップＳ９，Ｓ１３，Ｓ１７）。
【００５４】
まず、ＣＰＵ１１０は、静電キードライバ１４０からの入力に基づき、ユーザは、タッチ操作したまま、ステップＳ１で検出された「４」のキー位置から列１の“上方向”のキー位置に移動したか否かを判断する（ステップＳ９）。
【００５５】
ＣＰＵ１１０は、タッチ操作のキー位置が列１の“上方向”に移動していると判断すると（ステップＳ９でＹＥＳ）、列１に対応の制御パラメータの値を増加させる（ステップＳ１１）。すなわち、ＣＰＵ１１０は、ステップＳ１でメモリ１２０に格納された「ズーム」の制御パラメータの値を、望遠寄りに画角を変化させるための値に変更する。ＣＰＵ１１０は、変更後の当該制御パラメータの値を、カメラ制御部１９０に出力する。その後、処理はステップＳ１に戻る。
【００５６】
カメラ制御部１９０の画像処理部１９１は、変更後の制御パラメータ（ズームの倍率）の値に基づき、カメラ１８０からの画像データを処理する。処理後の画像データに基づく画像は表示部１６０に表示される（図４参照）。また、カメラ制御部１９０は、変更後の制御パラメータ（ズームの倍率）の値を、表示部１６０に表示する（図４参照）。
【００５７】
一方、ＣＰＵ１１０は、タッチ操作のキー位置が列１の“上方向”に移動していないと判断すると（ステップＳ９でＮＯ）、ＣＰＵ１１０は、静電キードライバ１４０からの入力に基づき、当該キー位置が列１の“下方向”に移動しているかを判断する（ステップＳ１３）。
【００５８】
ＣＰＵ１１０は、タッチ操作のキー位置が列１の“下方向”に移動していると判断すると（ステップＳ１３でＹＥＳ）、ＣＰＵ１１０は、制御パラメータの値を減少させる（ステップＳ１５）。すなわち、ＣＰＵ１１０は、ステップＳ１でメモリ１２０に格納された「ズーム」の制御パラメータの値を、広角寄りに画角を変化させるための値に変更する。ＣＰＵ１１０は、変更後の当該制御パラメータの値を、カメラ制御部１９０に出力する。その後、処理はステップＳ１に戻る。
【００５９】
カメラ制御部１９０は、変更後の制御パラメータ（ズームの倍率）の値に基づき、画像処理部１９１を制御する。画像処理部１９１は、カメラ１８０からの画像データを制御パラメータの値に従い処理する。処理後の広角寄りの画像が表示部１６０に表示される（図４参照）。また、カメラ制御部１９０は、変更後の制御パラメータ（ズームの倍率）の値を、表示部１６０に表示する（図４参照）。
【００６０】
一方、ＣＰＵ１１０は、タッチ操作のキー位置が列１の“下方向”に移動していないと判断すると（ステップＳ１３でＮＯ）、ＣＰＵ１１０は、静電キードライバ１４０からの入力に基づき、タッチ操作のキー位置が、Ｘ軸方向の隣の列２に移動したか否かを判断する（ステップＳ１７）。
【００６１】
ＣＰＵ１１０は、キー位置データ１３２が列２のキー位置を示すと判断した場合には（ステップＳ１７でＹＥＳ）、操作対象パラメータの種類を変更する（ステップＳ１９）。その後、処理はステップＳ４に戻る。
【００６２】
具体的には、ステップＳ１９では、ＣＰＵ１１０は、キー位置データ１３２に基づき図３のカメラモードのテーブル１２３を検索する。ＣＰＵ１１０は、検索結果に基づき、キー位置データ１３２（例えば、列２の「５」のキー位置）が該当するデータＰ２に対応のパラメータデータ１２６（「露出」）を、テーブル１２３から読出す。これにより、ＣＰＵ１１０は、操作対象パラメータの種類は、「露出」であると判断する。ＣＰＵ１１０は、先にメモリ１２０に格納されていた操作対象パラメータの種類（「ズーム」）を削除し、ステップＳ１９で判断された制御パラメータの種類（「露出」）をメモリ１２０に格納する。その後、処理はステップＳ４に戻る。
【００６３】
その後は、ステップＳ４以降の処理が、変更後の制御パラメータの種類「露出」について、上述した「ズーム」の場合と同様に行われる。すなわち、列２においてスライド操作の方向が“上方向”である場合には、制御パラメータの値は、撮像画像の露出度が増加するように変更される。また、列２においてスライド操作の方向が“下方向”である場合には、制御パラメータの値は、撮像画像の露出度が減少するように変更される。
【００６４】
ステップＳ１７において、ＣＰＵ１１０は、静電キードライバ１４０からのキー位置データ１３２が、列２のキー位置を示さない（列１のキー位置のままである）と判断した場合には（ステップＳ１７でＮＯ）、処理をステップＳ１に戻す。その後は、ステップＳ１以降の処理が、上述と同様に実施される。
【００６５】
なお、タッチ操作されたキー位置が列３に該当すると判断された場合には、操作対象パラメータの種類は「ＩＳＯ感度」に設定（変更）される。また、列３においてスライド操作の方向が“上方向”である場合には、「ＩＳＯ感度」の値は、撮像画像のＩＳＯ感度が増加するように変更される。また、列３においてスライド操作の方向が“下方向”である場合には、「ＩＳＯ感度」の値は、撮像画像のＩＳＯ感度が減少するように変更される。  
【００６６】
図５では、操作対象パラメータの種類を変更するためには、ユーザは、タッチ操作する指を隣接する列にスライド移動するだけでよく、特別な操作は必要とされない。なお、操作対象パラメータを変更するための操作パターンは、この操作パターンに限定されない。例えば、列１のキーをタッチ操作し、その後、一旦、テンキー３００から指を離す。その後、改めて、他の列（列２または列３）に属するキーをタッチ操作する、というような操作パターンであってもよい。
【００６７】
また、図５では、操作対象パラメータの値は、スライド操作の移動量、すなわち“上方向”または“下方向”により増減されることで可変に決定される。また、スライド操作の移動量には、スライド操作の開始時のキー位置から、スライド操作終了時のキー位置までの距離（キー位置の変化，変位）が含まれてもよい。ＣＰＵ１１０は、当該距離（キー位置の変化，変位）の大きさに基づき、操作対象パラメータの値の増減量を決定してもよい。
【００６８】
[実施の形態２]
本実施の形態２は、実施の形態１の変形例である。実施の形態２では、携帯型電話機１の動作モードが、音楽プレーヤモードである場合の処理を説明する。実施の形態２の携帯型電話機１の構成および各部の機能は、実施の形態１と同様であり、説明は繰返さない。
【００６９】
図６は、本実施の形態２に係る音楽プレーヤモードで表示される画像とともに携帯型電話機１の外観を示す図である。図６では、説明のために、テンキー３００には行１，行２，行３，行４のそれぞれに対応したタッチセンサ群９１，９２，９３，９４のみが示されて、各列についてのタッチセンサ群８１〜８３の図示は略されている。
【００７０】
携帯型電話機１の動作モードが、音楽プレーヤモードに切替えられたとき、ＣＰＵ１１０は、モードデータ１２１を“音楽プレーヤモード”を示すように書換える。
【００７１】
ＣＰＵ１１０は、モードデータ１２１に従い、表示ドライバ１５０を介して表示部１６０に音楽プレーヤの画像を表示する。音楽プレーヤの画像は、再生の対象である楽曲のアーティストの名前、当該楽曲のアルバム名、当該楽曲のタイトル名、および当該楽曲データの再生位置を示すデータを含む（図６参照）。実施の形態２では、再生対象の楽曲のタイトル、アーティスト名、アルバムのタイトル、および再生位置は、音声再生部２１１を制御するための制御パラメータに相当する。音声出力制御部２１０は、これら制御パラメータに基づき音声再生部２１１を制御する。
【００７２】
ユーザは、音楽プレーヤモードにおいて、操作受付部１３０を操作することにより、上記の制御パラメータを変更することができる。実施の形態２では、当該制御パラメータの種類（楽曲のタイトル、アーティスト名、アルバムのタイトル、および再生位置）を変更するための操作は、テンキー３００の行１，行２，行３，行４のいずれかのキーのタッチ操作である。また、当該制御パラメータの値（各楽曲のタイトル、各アーティストの名前、各アルバムのタイトル、および楽曲データの先頭からの位置）を変更するための操作は、行１〜行４のいずれかの行における“左方向”または“右方向”（図６の太い破線矢印を参照）へのスライド操作である。図６の画面では、現在、選択されている制御パラメータの値が、反転表示されることで、ユーザに通知されている。
【００７３】
なお、制御パラメータの値は、楽曲のタイトルであれば、例えば「景色」、「夏景色」「秋景」等を示す。また、アーティスト名であれば、例えば「太郎」、「山田次郎」、「佐藤」等を示す。また、アルバムのタイトルであれば、例えば「ntemps」、「ete」、「autom」等を示す。再生位置は、楽曲データが予め定められたデータサイズ（単位：Byte）を有している場合には、当該楽曲データの先頭からのアドレス位置を示す。
【００７４】
ＣＰＵ１１０は、テンキー３００の操作内容に基づき制御パラメータの種類または値を変更する。音声出力制御部２１０は、ＣＰＵ１１０から与えられる制御パラメータに基づき、音声再生部２１１を制御する。
【００７５】
図７は、本実施の形態２に係る音楽プレーヤモードの処理を説明するためのフローチャートである。図５と図７の各処理を比較して異なる点は、図７のでは、ステップＳ９ａ、Ｓ１３ａにおいて各行のＸ軸の“左方向”，“右方向”へのスライド操作を判断する点と、ステップＳ１７ａにおいてキー位置についてＹ軸方向に隣接する行への移動を判断する点と、ステップＳ１１ａ，Ｓ１５ａ，Ｓ１９ａにおいてタッチ操作されている行に対応の操作対象パラメータの値を増減させる点にある。他の処理は、図５のそれらと同じであるので、説明は繰返さない。
【００７６】
上記の相違点に関して、音楽プレーヤモードに対応したテーブル１２３（図示せず）は、位置データ１２５として、行１の各キーのキー位置を示すデータＰ１、行２の各キーのキー位置を示すデータＰ２、行３の各キーのキー位置を示すデータＰ３、および行４の各キーのキー位置を示すデータＰ４を含む。また、パラメータデータ１２６は、データＰ１〜Ｐ４のそれぞれに対応した制御パラメータの種類を含む。音楽プレーヤモードの場合には、データＰ１に対応の制御パラメータの種類は“アーティスト名”、データＰ２に対応の制御パラメータの種類は“アルバムのタイトル”、データＰ３に対応の制御パラメータの種類は“楽曲のタイトル”、およびデータＰ４に対応の制御パラメータの種類は“再生位置”である。
【００７７】
このように、音楽プレーヤモードにおいても、実施の形態１のカメラモードと同様に、ユーザは行１〜行４のいずれか行のキーをタッチ操作することで、操作対象パラメータを選択することができる。また、ユーザは、当該行において“左方向"、“右方向”に指をスライド操作することで、操作対象パラメータの値を変更することができる。
【００７８】
具体的には、操作対象パラメータが“アーティスト名”である場合には、“左方向”のスライド操作により、現在値（次郎）から“太郎”に変更され、“右方向”のスライド操作により、現在値（次郎）から“佐藤”に変更される。同様に、操作対象パラメータが“アルバムのタイトル”である場合には、“左方向”のスライド操作により、現在値（ete）から“ntemps”に変更され、“右方向”のスライド操作により、現在値（ete）から“autom”に変更される。同様に、操作対象パラメータが“楽曲のタイトル”である場合には、“左方向”のスライド操作により、現在値（夏景色）から“景色”に変更され、“右方向”のスライド操作により、現在値（夏景色）から“秋景”に変更される。
【００７９】
また、操作対象パラメータが“再生位置”である場合には、“左方向”のスライド操作により、現在の再生位置から先頭側の位置に戻る（巻き戻し）ように変更され、“右方向”のスライド操作により、現在の再生位置から先に進む（早送り）ように変更される。図６では、画面において再生位置は棒グラフＧにより示される。棒グラフＧのＸ軸方向に沿った長さは、スライド操作に連動して変化する。ユーザは、棒グラフＧの長さの変化により、再生位置が変更されたことを確認する。
【００８０】
[実施の形態３]
本実施の形態３は、実施の形態１と２の変形例である。実施の形態３では、実施の形態１と２で説明した携帯型電話機１の動作モードが、アラーム設定モードである場合の処理を説明する。実施の形態３では、携帯型電話機１の構成および各部の機能は、実施の形態１と同様であり、説明は繰返さない。
【００８１】
図８は、本実施の形態３に係るアラーム設定モードで表示される画像とともに携帯型電話機１の外観を示す図である。図８では、説明のために、テンキー３００には行１，行２，行３，行４のそれぞれに対応したタッチセンサ群９１，９２，９３，９４のみが示されて、各列についてのタッチセンサ群８１〜８３の図示は略されている。
【００８２】
携帯型電話機１の動作モードが、アラーム設定モードに切替えられると、ＣＰＵ１１０は、モードデータ１２１を“アラーム設定モード”を示すように書換える。
【００８３】
ＣＰＵ１１０は、モードデータ１２１に従い、表示ドライバ１５０を介して表示部１６０にアラーム設定のための情報を表示する。この情報は、設定されているアラーム時間を表す「時」，「分」の各単位の数値を含む（図８参照）。実施の形態３では、アラーム時間の「時」，「分」の各単位が制御パラメータに相当し、各単位の値が、制御パラメータの値に相当する。タイマ部１７０は、これら制御パラメータに基づき、アラーム設定部１７１を制御する。
【００８４】
ユーザは、アラーム設定モードにおいて、操作受付部１３０を操作することにより、上記の制御パラメータを変更することができる。実施の形態３では、制御パラメータの種類を変更するための操作は、テンキー３００の行１，行２，行３，行４のいずれかのキーのタッチ操作である。また、制御パラメータの値を変更するための操作は、行１〜行４のいずれかの行における“左方向”または“右方向”（図８の太い破線矢印を参照）へのスライド操作である。
【００８５】
なお、制御パラメータの種類が「時」であれば、制御パラメータの値は、十の位の値と一の位の値を含む。制御パラメータの種類が 「分」であれば、制御パラメータの値は、十の位の値と一の位の値である。
【００８６】
ＣＰＵ１１０は、静電キードライバ１４０からの入力（操作種類データ１３１，キー位置データ１３２）に基づき、操作対象パラメータの種類または値を決定する。例えば、列１において上下方向にスライド操作がされると、「時」の十の位の値が増減される。また、列２において上下方向のスライド操作がされると、「時」の一の位の値が増減される。また、列３において上下方向にスライド操作がされると、「分」の十の位の値が増減される。また、列４において上下方向にスライド操作がされると、「分」の一の位の値が増減される。タイマ部１７０は、ＣＰＵ１１０からの制御パラメータに基づき、アラーム設定部１７１を制御する。
【００８７】
このように、アラーム設定モードにおいても、実施の形態１のカメラモードまたは実施の形態２の音楽プレーヤモードと同様に、ユーザは行１〜行４のいずれか行のキーをタッチ操作することで、操作対象パラメータを選択することができる。また、ユーザは、行において“左方向"、“右方向”へのスライド操作をすることで、操作対象パラメータの値を変更する（増減させる）ことができる。
【００８８】
［実施の形態４］
上述した各実施の形態では、フローチャートに従うプログラムは、携帯型電話機１に付属するメモリカード（図示せず）などのように、ＣＰＵ１１０がメモリドライバ（図示せず）を介して読取り可能な記録媒体に記録させて、プログラム製品として携帯型電話機１に提供することもできる。あるいは、ネットワークを介して携帯型電話機１のアンテナ（図示せず）により受信しメモリ１２０の記憶領域へのダウンロードによって、プログラムを提供することもできる。
【００８９】
提供されるプログラム製品は、プログラム自体と、プログラムが非一時的に記録された記録媒体とを含む。
【００９０】
上記の各実施の形態では、タッチパッド３５０のタッチセンサによる検出方式は、静電容量の変化を検出する方式であったが、この検出方式に限定されない。例えば、タッチパッド３５０のタッチセンサは、タッチ操作または押し下げ操作に応じた圧力の変化を検出する方式であってもよい。タッチパッド３５０が圧力の変化を検出する方式であっても上記の各実施の形態の構成および機能を実現することができる。
【００９１】
[実施の形態の効果]
各実施の形態では、ユーザは、テンキー３００においてスライド操作した場合に、各行の間、および各列の間に形成された溝３０２を指で感触することができる。これにより、スライド操作において、キー位置が隣の行／列に移動したことを感触から認識することができる。また、当該感触により、ユーザは、視線をテンキー３００に移さなくとも、操作すべき行，列を把握して、所望のスライド操作をすることができる。
【００９２】
構造においては、テンキー３００の裏面側において、一次元の複数の静電気パッドに相当するタッチセンサ群８１〜８３，９１〜９４が、テンキー３００の各列または各行に設置される。したがって、表示部１６０の画面に静電気検出部を設けることができない場合であっても、タッチセンサ群８１〜８３，９１〜９４を利用したタッチ操作，スライド操作による、直感的な操作が可能となる。
【００９３】
また、携帯型電話機１に情報を入力するために、画面にポインタを表示し、当該ポインタを移動させるキー操作に代えて、実施の形態１〜３に示したタッチセンサ群８１〜８３，９１〜９４を利用したタッチ操作，スライド操作を提供することができる。
【００９４】
制御においては、ＣＰＵ１１０は、テーブル１２３を介して、テンキー３００の各列または各行に割当てられた制御パラメータの種類を判断することができる。また、ＣＰＵ１１０は、静電キードライバ１４０からの入力（操作種類データ１３１，キー位置データ１３２）に基づき、いずれの行，列がどのように操作（タッチ操作，スライド操作）されているかを判断することができる。したがって、ＣＰＵ１１０は、携帯型電話機１に対するユーザの情報入力のための操作内容に基づき、操作対象パラメータの種類と値を正確に判断し、また変更することができる。
【００９５】
また、各実施の形態では、特許文献１のスライダー装置等のＵＩ（ユーザインターフェイス）に代えて、各行および各列におけるスライド操作が提供される。ユーザは、同様のスライド操作により、携帯型電話機１の動作モード毎に、異なる制御パラメータを携帯型電話機１に対し入力することができる。これにより、携帯型電話機１の操作受付部１３０の設置スペースをテンキー３００の設置スペースと共有をしつつ、すなわち専用の設置スペースを必要とせずに、携帯型電話機１に対して、複数種類の制御パラメータについて値を入力することができる。
【００９６】
したがって、操作受付部１３０の設置スペースが狭いという制限がある携帯型電話機１のような電子機器であっても、各実施の形態で示されたような制御パラメータの種類と値を含む多くの情報を入力可能な操作受付部１３０を搭載することが可能となる。
【００９７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９８】
１  携帯型電話機、８１，８２，８３，９１，９２，９３，９４  タッチセンサ群、１１２，１２２  制御パラメータ情報、１３０  操作受付部、１４０  静電キードライバ、１５０  表示ドライバ、１６０  表示部、１７０  タイマ部、１７１  アラーム設定部、１８０  カメラ、１９０  カメラ制御部、１９１  画像処理部、２００  スピーカ、２１０  音声出力制御部、２１１  音声再生部、３００  テンキー、３５０  タッチパッド。
【図１】
0006391511.tif 000002
【図２】
0006391511.tif 000003
【図３】
0006391511.tif 000004
【図４】
0006391511.tif 000005
【図５】
0006391511.tif 000006
【図６】
0006391511.tif 000007
【図７】
0006391511.tif 000008
【図８】
0006391511.tif 000009